(57)【要約】本発明は、鉄（ＩＩ）の有機金属イオン錯体と組み合わせたイオン液体を利用して炭化水素流から汚染物質を除去するための抽出酸化プロセスを記載しており、鉄（ＩＩ）カチオンとイオン親和性結合剤との錯体、鉄（ＩＩ）とその分子構造中のイオン親和性結合剤との触媒を備え、その酸化は酸化剤で行われ、イオン液体の相に存在する有機金属鉄（ＩＩ）錯体によって触媒される。酸化性化合物の選択性溶媒の特性を維持することに加えて、鉄（ＩＩ）と酸化剤の触媒的イオン親和性結合剤との有機金属錯体を組み合わせたイオン液体は、イオン液体相で起こる反応性現象を刺激し、油相に浸出することなく、鉄がイオン液体相で安定したままになるという効果をもたらす。この措置により、炭化水素媒体からのヘテロ原子の除去が大幅に改善される。【選択図】なし【特許請求の範囲】
【請求項１】
炭化水素流からヘテロ原子化合物を除去するための触媒系において、
１，３−ジアルキルイミダゾリウムカチオンを有するイオン液体と、アニオンと、鉄（ＩＩ）の有機金属錯体とを備え、前記鉄（ＩＩ）の有機金属錯体が、鉄（ＩＩ）のイオン親和性結合剤系との有機金属カチオンとアニオンとから成るイオン系であることを特徴とする触媒系。
【請求項２】
前記１，３−ジアルキルイミダゾリウムが、化合物１−ｎ−ブチル−３−メチルイミダゾリウムに基づくことを特徴とする、請求項１に記載の触媒系。
【請求項３】
前記アニオンが、テトラフルオロボレート、ヘキサフルオロホスフェート及びビス−トリフルオロメタンスルホンイミデートから選択されることを特徴とする、請求項１に記載の触媒系。
【請求項４】
前記鉄（ＩＩ）の有機金属錯体が、鉄（ＩＩ）の塩及びイオン親和性結合剤前駆体から調製されることを特徴とする、請求項１に記載の触媒系。
【請求項５】
前記鉄（ＩＩ）の有機金属錯体が、臭化鉄（ＩＩ）の塩及び４−（（２，３−ジメチル−イミダゾール−１−イル）メチル）−４’−メチル−２，２’−ビピリジンから調製されることを特徴とする、請求項１及び４に記載の触媒系。
【請求項６】
炭化水素流からヘテロ原子を除去するための抽出酸化プロセスにおいて、
ヘテロ原子化合物を含有する鉱物又は合成由来の炭化水素流を供給して相Ｉを形成する工程と、
請求項１〜５の何れか一項に記載の触媒系を供給し、酸化剤を添加して相ＩＩを形成する工程と、
前記ヘテロ原子化合物の酸化反応が起こるように、前記相Ｉ及びＩＩの間の接触を促進する工程と、
炭化水素相を備える前記相Ｉを、有機鉄錯体と組み合わせたイオン液体の相を備え且つ前記炭化水素流から生じる酸化された前記ヘテロ原子化合物が存在する相ＩＩから分離する工程と
を含むことを特徴とする、抽出酸化プロセス。
【請求項７】
前記酸化剤が、過酸化物であることを特徴とする、請求項６に記載のプロセス。
【請求項８】
前記酸化剤が、少なくとも１種の無機過酸化物であることを特徴とする、請求項７に記載のプロセス。
【請求項９】
前記酸化剤が、過酸化水素であることを特徴とする、請求項７に記載のプロセス。
【請求項１０】
前記酸化剤が、少なくとも１種の有機過酸化物であることを特徴とする、請求項７に記載のプロセス。
【請求項１１】
前記酸化剤が、少なくとも１種の有機過酸化物と少なくとも１種の無機過酸化物との任意の割合の混合物であることを特徴とする、請求項７に記載のプロセス。
【請求項１２】
前記ヘテロ原子化合物が、硫黄含有化合物及び／又は窒素含有化合物を備えることを特徴とする、請求項６又は７に記載のプロセス。
【請求項１３】
前記酸化反応が、５０〜１５０℃の範囲の温度で実施されることを特徴とする、請求項６〜８の何れか一項に記載のプロセス。
【請求項１４】
前記酸化反応が、５〜２５０分の間実施されることを特徴とする、請求項６〜８の何れか一項に記載のプロセス。
【発明の詳細な説明】
【技術分野】
【０００１】
本発明は、酸化剤の活性化という触媒機能を有するイオン親和性結合剤系によるＦｅ（ＩＩ）錯体と組み合わされたイオン液体を含有するイオン相を用いた、抽出酸化プロセスに関する。
【０００２】
抽出酸化プロセスでは、大気圧と温度の穏やかな条件を利用して、油相から、一般にはヘテロ原子化合物が通常豊富な化石起源のものを含む炭化水素から、汚染物質を除去する。イオン親和性結合剤系は、触媒として作用する鉄カチオンを、油相に浸出させることなくイオン相に維持する役割を果たす。
【背景技術】
【０００３】
化石起源の炭化水素の未処理の流れは通常、汚染物質又は不純物として分類されるヘテロ原子化合物を含有している。こうした流れで最もよく見られるヘテロ原子化合物は、一般に硫黄原子（Ｓ）や窒素原子（Ｎ）を含む化合物や、酸素（Ｏ）及びニッケル（Ｎｉ）や鉄（Ｆｅ）、銅（Ｃｕ）、ナトリウム（Ｎａ）、バナジウム（Ｖ）等の金属を含む化合物である。
【０００４】
硫黄（Ｓ）や窒素（Ｎ）を含む化合物が最も一般的な汚染物質であり、様々な種類の石油に存在する。こうした硫黄含有汚染物質及び窒素含有汚染物質は、取り扱い（精製所での触媒効率の低下）、輸送（石油及びガスパイプラインの腐食）、及び誘導体の利用（石油由来の燃料に存在すると環境汚染を引き起こす）において問題を引き起こす。
【０００５】
原油の元素組成（ｗｔ％）の例を示す表を以下に示す。
2020522386.tif 000002
【０００６】
製品の技術仕様と環境仕様を調整するとともに、従来のプロセスの厳しさ（ハーシュネス）を最小限に抑えるという二つの目的のために、化石炭化水素の流れに存在する硫黄化合物と窒素化合物を除去するための代替プロセスが開発されてきた。
【０００７】
石油精製業界では、従来、こうした汚染物質に存在する硫黄と窒素を除去するために、例えば水素化脱硫（ＨＤＳ）や水素化脱窒素（ＨＤＮ）等の水素化精製プロセスといった、幾つかの処理プロセスが利用されている。
【０００８】
水素化脱硫（ＨＤＳ）や水素化脱窒素（ＨＤＮ）という従来のプロセスは、通常は担持金属硫化物である触媒の存在下での水素化反応により、様々な石油留分の汚染物質からそれぞれ硫黄と窒素を除去することから成る。しかし、ある硫黄含有汚染物質及び窒素含有汚染物質は、従来の経路では処理が困難であり、例えば窒素含有化合物の中には、触媒を汚染し、より厳しい運転条件を要するものがある。その場合、ヘテロ原子化合物の抽出酸化法といった、新しい触媒及び／又は処理プロセスの代替経路を開発することが必要になる。抽出酸化プロセスでは、汚染物質は、除去及び／又は不活性化されるか、若しくは油に対して不混和な溶媒又は吸着剤に対して親和性の高い他の化合物に変換される。
【０００９】
従来技術は、炭化水素流からヘテロ原子化合物を除去するための代替処理プロセスを説明している。
【００１０】
特許文献１及び特許文献２には、炭化水素流の前処理に適用可能な、ヘテロ原子汚染物質が豊富な原油からの蒸留物の前処理のための抽出酸化プロセスが教示されている。両文献は、過酸を用いて行われる抽出酸化の方法には、置換及び窒素化ジベンゾチオフェン、ピリジン及びキノリン化合物等、水素化精製で除去することが難しい特定の化合物を除去するといった利点があると述べている。これらの化合物は、担持金属硫化物触媒の強力な不活性化剤である。
【００１１】
ヘテロ原子化合物を除去するためのプロセスを改善する１つの方法は、反応混合物へのイオン液体の添加を含む。ＢＦ４−、ＰＦ６−、ＣＦ３ＳＯ３−、（ＣＦ３ＳＯ２）２Ｎ−、ＣＦ３ＣＯ２−等のアニオン（対イオン）構造を有する、通常アルキルアンモニウムやホスホニウム、イミダゾリウムカチオンから誘導される塩から成る、１００℃未満の温度の溶融塩といったイオン液体が知られている（非特許文献１、非特許文献２、非特許文献３、非特許文献４）。
【００１２】
イオン液体は、その固有の特性により、化学反応における溶媒及び／又は触媒として作用することができ、分子の代わりにイオンが関与するため、従来の有機溶媒で行われる反応と比較すると、反応は異なる選択性と反応性で進行する。
【００１３】
様々な官能化イオン液体のうち、最も研究され且つ最も利用されているのは、１，３−ジアルキルイミダゾリウムカチオンに由来するものであり、独特な物理化学的特性を持っている。
【００１４】
特許文献３には、炭化水素流中に存在する硫黄含有化合物の抽出及び／又は抽出酸化に、イオン液体を利用するプロセスが教示されている。しかし、この方法論は、石油由来の炭化水素の粗流に典型的な窒素含有化合物等、他の汚染物質の除去に取り組むことなく、炭化水素流の硫黄化合物の除去にのみ適用される。
【００１５】
特許文献４は、特許文献５に記載されている方法論の改善を提示している。この改善は、イオン液体の作用と有機酸／過酸化水素酸化系の作用を組み合わせたものである。この新しい系は、ヘテロ原子汚染物質（窒素含有及び／又は硫黄含有）及び化合物が豊富な化石起源の流れといった、炭化水素の錯体混合物の粗流の前処理に適用される。この系は、硫黄だけでなくこれらの汚染物質をより多く除去することを可能にし、従って特許文献３で請求の範囲に記載されているものよりも広範囲の抽出酸化から成る。
【００１６】
特許文献４に記載されている発明は、炭化水素相と、過酸化物及び酸を含有する水性酸化混合物の相と、相間の極性物質の移動といった抽出酸化プロセスを支配する物理的現象を最適化するイオン液体の相とによって形成された三相系を含む。
【００１７】
特許文献４に提示されているイオン液体は、専ら物理的機能を有しており、反応は、汚染化合物の実際の酸化反応を行う過酸系（Ｈ２Ｏ２＋ＲＣＯＯＨ）を利用して行われる。イオン液体は、水溶液と酸化される種との、及び酸化された種との相互作用を増加させることにより作用し、その抽出の改善を可能にする。
【００１８】
しかし、現在の開発にもかかわらず、産業界は炭化水素流からヘテロ原子化合物を除去するための、より効率的かつ効果的なプロセスを依然として必要としている。
【００１９】
従って、論文（非特許文献５）で報告されているように、イオン液体の機能を拡張し、化学的且つ物理的に作用させるために、特許文献４に示されている方法論は、酸化性化合物の選択性溶媒の特性を維持することに加えて、水性酸化混合物のカルボン酸の代わりに酸化に関与する過酸系の構成要素になるように、イオン液体の化学修飾を介して最適化された。これにより、イオン液体相で反応性現象が発生し、極性を有する標的物質と過酸化水素が移動する。この措置により、炭化水素媒体からの標的物質の除去が大幅に改善された。
【００２０】
上に引用した論文において述べられている化学修飾は、イミダゾリウムカチオンの分子内にカルボキシル及び／又はエーテル官能基等の官能化置換基を組み込むことにより進行する。この官能化により、イオン液体は、硫黄含有化合物と窒素含有化合物の酸化に適した過酸系のジェネレータ、及び選択的溶媒の両方として作用した。この溶媒は、いったん油相と接触すると、標的物質がイオン相へより多く移動して酸化されることを可能にし、また、油との界面に存在する標的物質の酸化を可能にし、直ちに且つ直接イオン相に移動することとなる。
【００２１】
一方、特許文献６、特許文献７、及び特許文献８によれば、ヘテロ原子化合物の抽出酸化の方法論は、酸化を強化するフェントン試薬ＯＨ＊を含むフリーラジカルの生成を可能にする酸化鉄、特に酸化鉄−水酸化物に基づく触媒系を利用することで改良できる。従って、有望な案は、イオン液体の化学構造に鉄を組み込むか、触媒活性鉄原子を含有する系をイオン液体に結合させて、イオン液体相でフリーラジカルを生成できるようにすること（例えばフェントン試薬ＯＨ＊）であり、油相からイオン液体相への標的物質の抽出の重要な役割を実行するためにイオン液体の潜在性が用いられる。
【００２２】
この案を採用した取り組みの結果は、文献に記載されている（非特許文献６、非特許文献７、非特許文献８、非特許文献９）。しかし、これらの方法は、Ｆｅイオンが油相に浸出しないことを保証しないことは明らかである。
【先行技術文献】
【特許文献】
【００２３】
【特許文献１】米国特許第６５４４４０９号明細書
【特許文献２】米国特許第７１５３４１４号明細書
【特許文献３】米国特許第７００１５０４号明細書
【特許文献４】ブラジル特許公開第０７０４６７２−３号明細書
【特許文献５】欧州特許第１６２０５２８号明細書
【特許文献６】米国特許第６５４４４０９号明細書
【特許文献７】欧州特許第１３９０４４１号明細書
【特許文献８】米国特許第７１５３４１４号明細書
【非特許文献】
【００２４】
【非特許文献１】Ｐ．Ｗａｓｓｅｒｓｃｈｅｉｄ，Ｔ．Ｗｅｌｔｏｎ；Ｉｏｎｉｃ  Ｌｉｑｕｉｄｓ  ｉｎ  Ｓｙｎｔｈｅｓｉｓ，ＶＣＨ−Ｗｉｌｅｙ，Ｗｅｉｎｈｅｉｍ，２００２
【非特許文献２】Ｊ．Ｄｕｐｏｎｔ；Ｒ．Ｆ．Ｄｅ  Ｓｏｕｚａ，Ｐ．Ａ．Ｚ．Ｓｕａｒｅｚ；Ｃｈｅｍ．Ｒｅｖ．；２００２，１０２，３６６７
【非特許文献３】Ｐ．Ｗａｓｓｅｒｓｃｈｅｉｄ，Ｗ．Ｋｅｉｍ；Ａｎｇｅｗ．Ｃｈｅｍ．Ｉｎｔ．Ｅｄ．；２０００，３９，３７７３
【非特許文献４】Ｔ．Ｗｅｌｔｏｎ；Ｃｈｅｍ．Ｒｅｖ．；１９９９，９９，２０７１
【非特許文献５】Ｌｉｓｓｎｅｒ，Ｅ．；ｄｅ  Ｓｏｕｚａ，Ｗ．Ｆ．；Ｆｅｒｒｅｒａ，Ｂ．；Ｄｕｐｏｎｔ，Ｊ．：Ｏｘｉｄａｔｉｖｅ  Ｄｅｓｕｌｆｕｒｉｚａｔｉｏｎ  ｏｆ  Ｆｕｅｌｓ  ｗｉｔｈ  Ｔａｓｋ−Ｓｐｅｃｉｆｉｃ  Ｉｏｎｉｃ  Ｌｉｑｕｉｄｓ．ＣｈｅｍＳｕｓＣｈｅｍ  ２００９，２，９６２−９６４
【非特許文献６】Ｚｈｕ，Ｗ．Ｓ．；Ｚｈａｎｇ，Ｊ．Ｔ．；Ｌｉ，Ｈ．Ｍ．；Ｃｈａｏ，Ｙ．Ｈ．；Ｊｉａｎｇ，Ｗ．；Ｙｉｎ，Ｓ．；Ｌｉｕ，Ｈ．：Ｆｅｎｔｏｎ−ｌｉｋｅ  ｉｏｎｉｃ  ｌｉｑｕｉｄｓ／Ｈ２Ｏ２  ｓｙｓｔｅｍ：ｏｎｅ−ｐｏｔ  ｅｘｔｒａｃｔｉｏｎ  ｃｏｍｂｉｎｅｄ  ｗｉｔｈ  ｏｘｉｄａｔｉｏｎ  ｄｅｓｕｌｆｕｒｉｚａｔｉｏｎ  ｏｆ  ｆｕｅｌ．ＲＳＣ  Ａｄｖａｎｃｅｓ  ２０１２，２，６５８−６６４
【非特許文献７】Ｙｕ，Ｇ．Ｒ．；Ｚｈａｏ，Ｊ．Ｊ．；Ｓｏｎｇ，Ｄ．Ｄ．；Ａｓｕｍａｎａ，Ｃ；Ｚｈａｎｇ，Ｘ．Ｙ．；Ｃｈｅｎ，Ｘ．Ｃ．：Ｄｅｅｐ  Ｏｘｉｄａｔｉｖｅ  Ｄｅｓｕｌｆｕｒｉｚａｔｉｏｎ  ｏｆ  Ｄｉｅｓｅｌ  Ｆｕｅｌｓ  ｂｙ  Ａｃｉｄｉｃ  Ｉｏｎｉｃ  Ｌｉｑｕｉｄｓ．Ｉｎｄ．Ｅｎｇ．Ｃｈｅｍ．Ｒｅｓ．２０１１，５０，１１６９０−１１６９７．
【非特許文献８】Ｋｏ，Ｎ．Ｈ．；Ｌｅｅ，Ｊ．Ｓ．；Ｈｕｈ，Ｅ．Ｓ．；Ｌｅｅ，Ｈ．；Ｊｕｎｇ，Ｋ．Ｄ．；Ｋｉｍ，Ｈ．Ｓ．；Ｃｈｅｏｎｇ，Ｍ．：Ｅｘｔｒａｃｔｉｖｅ  Ｄｅｓｕｌｆｕｒｉｚａｔｉｏｎ  Ｕｓｉｎｇ  Ｆｅ−Ｃｏｎｔａｉｎｉｎｇ  Ｉｏｎｉｃ  Ｌｉｑｕｉｄｓ．Ｅｎｅｒｇｙ  Ｆｕｅｌｓ  ２００８，２２，１６８７−１６８９
【非特許文献９】Ｚｈｏｕ，Ｘ．；Ｌｖ，Ｓ．；Ｗａｎｇ，Ｈ．；Ｗａｎｇ，Ｘ．；Ｌｉｕ，Ｊ．：Ｃａｔａｌｙｔｉｃ  ｏｘｙｇｅｎａｔｉｏｎ  ｏｆ  ｄｉｂｅｎｚｏｔｈｉｏｐｈｅｎｅｓ  ｔｏ  ｓｕｌｆｏｎｅｓ  ｂａｓｅｄ  ｏｎ  Ｆｅｌｌｌ  ｐｏｒｐｈｙｒｉｎ  ｃｏｍｐｌｅｘ．Ａｐｐｌ．Ｃａｔａｌ．Ａ：Ｇｅｎ．２０１１，３９６，１０１−１０６
【発明の概要】
【００２５】
本発明は、炭化水素流からヘテロ原子化合物を除去するための触媒系において、１，３−ジアルキルイミダゾリウムカチオンを有するイオン液体と、アニオンと、鉄（ＩＩ）の有機金属錯体とを備え、前記鉄（ＩＩ）の有機金属錯体が、鉄（ＩＩ）のイオン親和性結合剤系との有機金属カチオンとアニオンとから成るイオン系であることを特徴とする触媒系を提供する。触媒系は、有機鉄塩錯体と組み合わせたイオン液体を含有しており、イオン液体相に対して完全な溶解性を示す。このイオン性有機金属錯体は、イオン液体に強い親和性を付与する化学構造を有しており、イオン液体相で永続的に安定化される。
【００２６】
前記１，３−ジアルキルイミダゾリウムは、化合物１−ｎ−ブチル−３−メチルイミダゾリウムに基づくものとしてもよい。
【００２７】
前記アニオンは、テトラフルオロボレート、ヘキサフルオロホスフェート及びビス−トリフルオロメタンスルホンイミデートから選択されることとしてもよい。
【００２８】
前記鉄（ＩＩ）の有機金属錯体は、鉄（ＩＩ）の塩及びイオン親和性結合剤前駆体から調製されることとしてもよい。
【００２９】
前記鉄（ＩＩ）の有機金属錯体は、臭化鉄（ＩＩ）の塩及び４−（（２，３−ジメチル−イミダゾール−１−イル）メチル）−４’−メチル−２，２’−ビピリジンから調製されることとしてもよい。
【００３０】
別の態様によれば、本発明は、炭化水素流からヘテロ原子を除去するための抽出酸化プロセスにおいて、ヘテロ原子化合物を含有する鉱物又は合成由来の炭化水素流を供給して相Ｉを形成する工程と、前記発明による触媒系を供給し、酸化剤を添加して相ＩＩを形成する工程と、前記ヘテロ原子化合物の酸化反応が起こるように、前記相Ｉ及びＩＩの間の接触を促進する工程と、炭化水素相を備える前記相Ｉを、有機鉄錯体と組み合わせたイオン液体の相を備え且つ前記炭化水素流から生じる酸化された前記ヘテロ原子化合物が存在する相ＩＩから分離する工程とを含むことを特徴とする、抽出酸化プロセスを提供する。
【００３１】
前記酸化剤は過酸化物であり、適切には少なくとも１種の無機過酸化物、例えば過酸化水素、又は適切には少なくとも１種の有機過酸化物、若しくは適切には少なくとも１種の有機過酸化物と少なくとも１種の無機過酸化物との任意の割合の混合物であるとしてもよい。
【００３２】
前記ヘテロ原子化合物は、硫黄含有化合物及び／又は窒素含有化合物を備えることとしてもよい。
【００３３】
前記酸化反応は、５０〜１５０℃の範囲の温度で実施することとしてもよい。
【００３４】
前記酸化反応は、５〜２５０分の間実施されることとしてもよい。
【発明の効果】
【００３５】
鉄（ＩＩ）の有機金属錯体は、フェントン試薬ＯＨ＊を生成する反応といった、酸化に必要な酸化性フリーラジカルを生成する反応の触媒として作用できるＦｅ（ＩＩ）カチオンを錯体化するイオン親和性結合剤系から成る。こうしたフリーラジカルは、油相と接触した際のイオン液体の抽出作用により、炭化水素の油相から抽出された硫黄含有化合物及び／又は窒素含有化合物を酸化し、イオン液体相にすることができる。
【００３６】
イオン液体を含有するフェントン型の系を利用する方法を報告している上記の文献の例とは対照的に、本発明において、Ｆｅ（ＩＩ）カチオンは、イオン液体によって強く可溶化される有機金属塩錯体のイオン親和性結合剤系の作用により、イオン液体相で永続的に維持され得る。
【００３７】
従って、Ｆｅ（ＩＩ）カチオンは油相に浸出せず、処理済み油相の汚染と、標的物質の選択的酸化のために生成されたフリーラジカルを利用した反応のパフォーマンスの損失とを引き起こす。更に、Ｆｅ（ＩＩ）をイオン液体相に維持すると、触媒として再利用することができる。
【００３８】
イオン液体は、選択性溶媒として作用するほか、油相からイオン相への標的物質の迅速な移動を促進して酸化させ、酸化した物質がイオン相に留まることを保証することもできる。
【発明を実施するための形態】
【００３９】
関連出願の相互参照
【００４０】
本出願は、２０１７年６月９日に提出されたブラジル特許出願第１０  ２０１７  ０１２３１８−８号の優先権の利益を主張し、その全体が参照により本明細書に組み込まれる。
本発明は、炭化水素に溶解した硫黄及び／又は窒素のヘテロ原子化合物を除去するための抽出酸化プロセスで利用するための触媒系に関する。
【００４１】
触媒系は、イオン親和性有機鉄イオン錯体と組み合わせたイオン液体を備えており、その分子構造は、イオン親和性結合剤系によって安定化されたＦｅ（ＩＩ）カチオンを含有し、この錯体は、好適にはイオン相に完全に溶解してイオン溶液を生じる。
【００４２】
酸化は、酸化剤、好ましくはＨ２Ｏ２から生成されたフェントン試薬ＯＨ＊等のフリーラジカルによって、錯体の構造に存在し且つイオン親和性結合剤系によってイオン構造が安定化されたＦｅ（ＩＩ）の触媒作用によって行われる。
【００４３】
本発明に係る触媒系を用いるプロセスは、油相Ｉが、硫黄含有化合物及び窒素含有化合物で汚染された炭化水素混合物を含有しており、イオン相ＩＩが、酸化のための触媒作用を伴う従来のイオン液体及びイオン親和性Ｆｅ（ＩＩ）錯体を含有している二相系を生成し、結合剤が、炭化水素混合物から油相へのＦｅ（ＩＩ）の移動を防ぐために特異的である。イオン液体の選択的な抽出力とは、標的ヘテロ原子化合物が油相（相ｌ）からイオン相（相ＩＩ）へ即時に移動し、イオン液体と組み合わせた有機鉄錯体と密接に接触してその酸化を最大化することを意味する。
【００４４】
ここで開示されたプロセスにより、反応工程全体で大気圧と温度の穏やかな条件で行われることがあるため、厳しい運転条件を用いずに水素化精製プロセスで除去することが困難な硫黄含有化合物及び／又は窒素含有化合物を選択的に除去ことができるようになる。
【００４５】
このプロセスでは、酸化剤、好ましくは過酸化水素を利用して、有機硫化物（例えば、ジベンゾチオフェン）や塩基性の窒素含有芳香族化合物（例えば、ピリジン、キノリン、アクリジン等の誘導体）といった硫黄含有化合物及び窒素含有化合物を除去するが、これらは典型的にはディーゼル、ナフサ、軽油等の化石起源の炭化水素流に存在し、通常利用される硫黄及び窒素を除去するための精製プロセスでは除去が困難である。
【００４６】
本発明において利用されるイオン液体は、１，３−ジアルキルイミダゾリウムカチオン、特に１−ｎ−ブチル−３−メチルイミダゾリウム（ＢＭＩ）カチオンや、テトラフルオロボレート（ＢＦ４−）、ヘキサフルオロホスフェート（ＰＦ６−）、及びビス−トリフルオロメタンスルホンイミデート（Ｎ（ＳＯ２ＣＦ３）２−）のアニオンから誘導される分子からなる。
【００４７】
本発明は、１−ｎ−ブチル−３−メチルイミダゾリウムＮ−トリフレート（ＢＭＩ．ＮＴｆ２）とも呼ばれる、イオン液体１−ｎ−ブチル−３−メチルイミダゾリウムビス−トリフルオロメタンスルホンイミデート（ＢＭＩ．Ｎ（ＳＯ２ＣＦ３）２）を用いることが好ましく、以下この命名法を用いる。Ｆｅ（ＩＩ）カチオンとイオン親和性結合剤系から成る有機金属錯体（触媒）をＢＭＩ．ＮＴｆ２に添加した。
【００４８】
本発明の触媒として採用される、鉄（ＩＩ）とイオン親和性結合剤系との錯体は、有機塩であり、そのカチオンは、イオン親和性結合剤であり、この系は、Ｆｅ（ＩＩ）カチオンを錯体化する結合剤Ｌ、Ｌ２、及びＬ３の分子から成ることが適切である。これらのバインダー分子のそれぞれは、鉄（ＩＩ）の塩と有機カチオン塩から調製してもよく、このカチオンは、少なくとも１つの窒素原子（ルイス塩基）、脂肪族又は芳香族又は脂環式分子構造の成分、若しくはそれらの組み合わせを有する。
【００４９】
鉄（ＩＩ）の塩とイオン親和性結合剤系との錯体が、選択したイオン液体に添加される。混合物を均質化した後、石油由来の軽質及び中間留分の流れといった、硫黄含有化合物及び／又は窒素含有化合物を含む鉱物又は合成由来の炭化水素の油性流れを添加し、最後に酸化剤（適切には過酸化水素）を添加する。
【００５０】
この不均一混合物は、２０〜１５０℃の範囲の温度に加熱し、大気圧で５〜２５０分の間撹拌することが好ましい。イオン液体と組み合わせたＦｅ（ＩＩ）の有機錯体と過酸化水素との反応により、フリーラジカルが生成され、イオン液体によって油から抽出された標的種の酸化が増強される。
【００５１】
酸化プロセスは、硫黄（より極性の高い）と窒素の酸化化合物を保持するイオン液体相で行われ、炭化水素は上相に残り、従って望ましくない硫黄含有有機材料及び／又は窒素含有有機材料が炭化水素流から抽出される。次いで、炭化水素を分離し、イオン液体を、炭化水素流中の硫黄含有化合物及び／又は窒素含有化合物を抽出酸化するプロセスに再利用することができる。
【００５２】
このプロセスでは、用いるイオン液体と密接に組み合わされた錯体の構造内に鉄カチオンを保つためのイオン親和性結合剤系の能力により、鉄カチオンの炭化水素相への浸出が生じないことが好ましい。
【００５３】
好ましい実施形態では、鉄（ＩＩ）錯体は、還流系を利用して、臭化鉄（ＩＩ）と４−（（２，３−ジメチル−イミダゾール−１−イル）メチル）−４’−メチル−２，２’−ビピリジンを反応させて調製し、その後、ヘキサフルオロリン酸カリウム（ＫＰＦ６）を添加して安定化させる。この工程の後、抽出を、理想的にはジクロロメタン：アセトニトリルが１：１の比率になるように行う必要がある。形成される錯体は、［トリス−（４−（（２，３−ジメチル−イミダゾール−１−イル）メチル−４’−メチル−２，２’−ビピリジン］鉄（ＩＩ）−Ｆｅ（ｄｍｂｐｙ−Ｉｍ）３５ＰＦ６のヘキサフルオロホスフェートである。この合成は、以下に提示する反応で説明される。
2020522386.tif 000003
【００５４】
実施例
以下の実施例は、本発明及び従来技術に係る、炭化水素流からヘテロ原子を除去するためのプロセスの実施形態を例示するものである。
【００５５】
（比較例）
硫黄化合物を含有するモデル燃料は、０．０５７５ｇのジベンゾチオフェンを１０ｍｌのｎ−オクタン（１０００ｐｐｍの有機硫黄化合物を含有する溶液）に添加することによって調製した。その直後に、イオン液体ＢＭＩ．ＮＴｆ２を０．５ｍｌと、炭化水素の溶液（１．３ｍｌ）と、最後に３０％過酸化水素（２５０μｌ）を１０ｍＬフラスコに添加する。この不均一混合物を、大気圧で２．２５時間、磁気攪拌しながら７５℃で加熱する。抽出酸化プロセスの後、硫黄含有化合物は、１５％しか抽出されていないことが観察される。
【００５６】
（実施例２）
硫黄化合物を含有するモデル燃料は、ジベンゾチオフェンとビピリジンを１０ｍｌのｎ−オクタン（１０００ｐｐｍの有機硫黄化合物と１０００ｐｐｍの窒素含有化合物を含む溶液）に添加することによって調製した。鉄（ＩＩ）−［Ｆｅ（ｄｍｂｐｙ−Ｉｍ）３］２＋５ＰＦ６−錯体を、イオン液体ＢＭＩ．ＮＴｆ２に添加した。その直後に、錯体を含有するイオン液体を０．５ｍｌと、炭化水素の溶液（１．３ｍｌ）と、最後に３０％過酸化水素（２５０μｌ）を１０ｍＬフラスコに添加した。この不均一混合物を、大気圧で２．２５時間、機械攪拌しながら７５℃で加熱する。抽出酸化プロセスの後、炭化水素中に１０ｐｐｍ未満のジベンゾチオフェン（ＤＢＴ）が存在することが観察され、これは硫黄含有化合物を９９％除去したことに相当する。更に、鉄触媒の油相への移動は検出されなかった。
【００５７】
（実施例３）
イオン親和性結合剤系［Ｆｅ（ｄｍｂｐｙ−Ｉｍ）３］２＋５ＰＦ６−との鉄（ＩＩ）錯体を含有する、０．５ｍｌのイオン液体ＢＭＩ．ＮＴｆ２（１．９６ｘ１０−２ｍｍｏｌ ｇ，７．５％）を、１５℃の水と共に還流冷却器を備えた１０ｍＬフラスコに添加する。次に、１１３ｐｐｍのＳ及び８０ｐｐｍのＮを含有する、１．３ｍｌのディーゼル油範囲の精製流と、最後に２５０μＬの過酸化水素とを添加する。この不均一混合物を、大気圧で２．２５時間、磁気攪拌しながら７５℃で加熱する。抽出酸化プロセスの後、Ｓが６４％、Ｎが８２％除去されたことが観察される。即ち、炭化水素相は、４０ｐｐｍのＳと１４ｐｐｍのＮを有していることになる。
【００５８】
驚くべきことに、触媒として作用する、イオン親和性結合剤系と鉄（ＩＩ）との錯体をイオン液体に添加すると、鉄（ＩＩ）カチオンが炭化水素相に浸出しない点が保証されることに加えて、硫黄含有化合物及び／又は窒素含有化合物の炭化水素流からの除去効率が大幅に増加し、本発明の進歩性が実証されることが分かった。
【国際調査報告】
2020522386.tif 000004
2020522386.tif 000005
2020522386.tif 000006